(57)【要約】      （修正有）【課題】取付工数を増大させることなく、且つ美観を損なうことなく、外装カバーをより強固に額縁フレームに固定できる広告装置を提供する。【解決手段】本広告装置は、外周面２１に広告表示シート９１の周縁部が固定されることにより広告表示シート９１が張り渡される枠状の額縁フレーム２と、一端側が額縁フレーム２の外周面２１に固定され、他端側が広告表示面９１１側に延びる外装カバー５とを備える。外装カバー５の一端側は、ネジ止めにより外装カバーの一端側を額縁フレーム２の外周面２１に固定するネジ止め部５２と、係合部５１とを備える。係合部５１は、外装カバー５を、額縁フレーム２の外周面２１に近づく第１の方向に移動させた後に第１の方向とは異なる第２の方向に移動させることにより、外装カバー５と額縁フレーム２とを係合させる。【選択図】図４
0003172829.tif 000002
【実用新案登録請求の範囲】
【請求項１】
枠状であり、外周面に広告表示シートの周縁部が固定されることにより前記広告表示シートが張り渡される額縁フレームと、
前記額縁フレームの外周面との間に前記広告表示シートの周縁部が挟まれるように、張り渡された前記広告表示シートにより形成される広告表示面と直交する直交方向における一端側が前記外周面に固定され、前記直交方向における他端側が前記広告表示面側に延びる外装カバーと、を備え、
前記外装カバーの一端側は、
ネジ止めにより前記外装カバーの一端側を前記額縁フレームの外周面に固定するネジ止め部と、
前記外装カバーを、前記額縁フレームの外周面に近づく第１の方向に移動させた後に前記第１の方向とは異なる第２の方向に移動させることにより、前記額縁フレームから離れる方向への前記外装カバーの移動を規制するように前記外装カバーと前記額縁フレームとを係合させる係合部と、
により前記額縁フレームの外周面に固定される広告装置。
【請求項２】
請求項１に記載の広告装置において、
前記係合部は、
前記額縁フレームの外周面に形成された挿入穴であって、第１穴部と、前記第１穴部とは異なる方向に延び且つ前記第１穴部と連通する第２穴部と、を備える挿入穴と、
前記外装カバーにおいて前記挿入穴に対応する位置に形成され前記挿入穴に挿入される係止突起であって、前記係止突起が前記挿入穴に挿入された状態において、前記第１穴部内に位置する第１突起部と、前記第１突起部から延出し、前記第２穴部内に位置する第２突起部とを有する係止突起と、を備える広告装置。
【請求項３】
請求項２に記載の広告装置において、
前記第１穴部および前記第１突起部は、前記広告表示面と平行に延び、前記第２穴部および前記第２突起部は、前記広告表示面と垂直、かつ前記広告表示面側に延びる広告装置。
【請求項４】
請求項３に記載の広告装置において、
前記挿入穴の入口側には、前記挿入穴の深さ方向に進むに従って前記広告表示面側に延び、前記係止突起の前記挿入穴への挿入をガイドするガイド面がある広告装置。
【請求項５】
請求項３に記載の広告装置において、
前記ネジ止め部は、
先端側に進むに従い前記広告表示面から離隔するように前記外装カバーから前記額縁フレーム側に斜めに立ちあがる固定板部と、
前記額縁フレームの外周面に形成されるとともに、枠状の前記額縁フレームの中央側に近付くに従い前記広告表示面から離隔する側に延び、前記固定板部が当接する受面部と、
前記固定板部を前記受面部に固定するネジと、
を備える広告装置。
【請求項６】
請求項３から請求項５のいずれかに記載の広告装置において、
前記額縁フレームの外周面には、前記広告表示シートの周縁部を前記外周面に固定するテンションバーを収容する凹部が形成され、
前記挿入穴の前記広告表示面側の壁部は、前記凹部の壁部を兼ね、
前記挿入穴の前記広告表示面側の前記壁部からは、前記第２穴部を形成するリブが突出する広告装置。
【請求項７】
請求項１から請求項６のいずれかに記載の広告装置において、
前記額縁フレームは、前記外周面を構成する第１側辺部と、前記第１側辺部の前記広告表示面側の端部と一端が接続し、前記広告表示面に対して傾斜する斜辺部と、一端が前記斜辺部の他端に接続し、他端が前記第１側辺部に接続する第２側辺部とを備え、
前記額縁フレームの内部には、前記斜辺部に沿う傾斜姿勢で保持され、前記斜辺部を補強する補強板と、前記斜辺部の前記一端側に近接する前記補強板の一端側を保持する第１保持リブと、前記斜辺部の前記他端側に近接する前記補強板の他端側を保持する第２保持リブと、が設けられている広告装置。
【考案の詳細な説明】
【技術分野】
【０００１】
本考案は、広告装置に関し、特に外装カバーの額縁フレームに対する固定技術に関する。
【背景技術】
【０００２】
従来、ビルの壁面等に支持され、広告を表示する上下等に長い広告装置が知られる（例えば、特許文献１）。特許文献１の広告装置は、上下に長い枠状の本体フレームを備える。本体フレーム内部には、蛍光灯やＬＥＤ等の光源が収容される。本体フレームの表側には、枠状の額縁フレームが設けられる。額縁フレームの外周面には、広告表示シートの周縁部がテンションバーにより固定される。これにより、枠状の額縁フレームに広告表示シートが張り渡され、広告装置の表側に広告表示面が形成される。広告装置の裏側にも同様にして広告表示シートが張り渡され、広告表示面が形成される。これら各広告表示シートの広告表示面は、本体フレーム内部に収容された光源により、内側から照らすことが可能になっている。
【０００３】
ところで、特許文献１の広告装置では、額縁フレームの外周面、および広告表示面の外縁部を覆う枠状の外装カバーが額縁フレームの外周面に取り付けられる。外装カバーは、断面視Ｌ字状に形成され、その基端部が額縁フレームの外周面にねじ止めされる。
【先行技術文献】
【特許文献】
【０００４】
【特許文献１】特開２００２−２５１１４２号公報
【考案の概要】
【考案が解決しようとする課題】
【０００５】
特許文献１の外装カバーは、基端部が額縁フレームの外周面にネジ止めされることにより額縁フレームに固定される。しかしながら、自由端である外装カバーの広告表示面側には、風等により、該広告表示面側を外側（額縁フレームの外周面から離隔する側）に開かせようとする力がかかる。そのため、外装カバーは、できるだけ強固に額縁フレームに固定することが好ましい。一方、外装カバーを額縁フレームに強固に固定するために、美観を損なってしまうこと、および外装カバーの取付工数が増大してしまうことは避けたい。従って、取付工数を増大させることなく、且つ美観を損なうことなく外装カバーをより強固に額縁フレームに固定できる広告装置の開発が望まれている。
【０００６】
本考案は、取付工数を増大させることなく、且つ美観を損なうことなく、外装カバーをより強固に額縁フレームに固定できる広告装置を提供することを目的とする。
【課題を解決するための手段】
【０００７】
本考案の広告装置は、枠状であり、外周面に広告表示シートの周縁部が固定されることにより前記広告表示シートが張り渡される額縁フレームと、外装カバーであって、張り渡された前記広告表示シートにより形成される広告表示面と直交する直交方向における前記外装カバーの一端側が、前記外装カバーと前記額縁フレームの外周面との間に前記広告表示シートの周縁部が挟まれるように前記外周面に固定され、前記直交方向における前記外装カバーの他端側が前記広告表示面側に延びる外装カバーと、を備え、前記外装カバーの一端側は、ネジ止めにより前記外装カバーの一端側を前記額縁フレームの外周面に固定するネジ止め部と、前記外装カバーを、前記額縁フレームの外周面に近づく第１の方向に移動させた後に前記第１の方向とは異なる第２の方向に移動させることにより、前記額縁フレームから離れる方向への前記外装カバーの移動を規制するように前記外装カバーと前記額縁フレームとを係合させる係合部と、により前記額縁フレームの外周面に固定されることを特徴とする。
【０００８】
本考案によれば、外装カバーを額縁フレームの外周面に近づく第１の方向に移動させた後、第１の方向とは異なる第２の方向に移動させることで、係合部により外装カバーと額縁フレームの外周面とが係合した状態となる。この状態で、ネジ（ネジ止め部）により外装カバーの一端側を額縁フレームの外周面に固定することにより、係合部による外装カバーと額縁フレームとの係合状態を維持する。
このようにして、本考案では、外装カバーをネジ止め部と係合部との２カ所により額縁フレームに固定するので、外装カバーを強固に額縁フレームに固定できる。
また、本考案では、係合部は、外装カバーをネジ等によって額縁フレームに係合させるのではなく、外装カバーを第１の方向および第２の方向に移動させることによって額縁フレームに係合させるので、外装カバーの取付工数を増大させることがない。
【０００９】
ここで、外装カバーの先端側（広告表示面に近接する側）を額縁フレームに固定する方法として、外装カバーの先端側を外装カバーの表面側からネジ等を外装カバーに打ち込むことにより、外装カバーを額縁フレームに固定する方法が考えられる。この場合、ネジが外部に露出することにより広告装置の美観が損なわれる。また、額縁フレームの外周面にネジにより凹凸が生じるので、額縁フレームの外周面にカバー部材を取り付ける場合に不都合が生じる。
本考案によれば、外装カバーの下方にあり、外部に露出することが無い係合部により外装カバーの先端側を額縁フレームに固定するので、広告装置の美観が損なわれることがない。また、額縁フレームの外周面に凹凸を生じさせることがないので、額縁フレームの外周面にカバー部材を取り付ける場合にも都合がよい。
【００１０】
本考案の広告装置において、前記係合部は、前記額縁フレームの外周面に形成された挿入穴であって第１穴部と、前記第１穴部とは異なる方向に延び且つ前記第１穴部と連通する第２穴部と、を備える挿入穴と、前記外装カバーにおいて前記挿入穴に対応する位置に形成され前記挿入穴に挿入される係止突起であって、前記係止突起が前記挿入穴に挿入された状態において、前記第１穴部内に位置する第１突起部と、前記第１突起部から延出し、前記第２穴部内に位置する第２突起部とを有する係止突起と、を備えることが好ましい。
【００１１】
外装カバー側に挿入穴が形成され、額縁フレーム側に係止突起が形成される場合、外装カバーの内面側に挿入穴が位置することとなり、外装カバーを額縁フレームに近接させる際に挿入穴が見づらく、額縁フレーム側の係止突起を挿入穴に挿入しづらい。
この考案によれば、外装カバー側に係止突起が形成され、額縁フレーム側に挿入穴が形成されるので、挿入穴を見ながら外装カバーの係止突起を挿入穴に挿入でき、作業性を良好にできる。
【００１２】
本考案の広告装置において、前記第１穴部および前記第１突起部は、前記広告表示面と平行に延び、前記第２穴部および前記第２突起部は、前記広告表示面と垂直、かつ前記広告表示面側に延びることが好ましい。
この考案によれば、挿入穴および係止突起の形状を、簡素かつ互いが強固に係合する形状にできる。
【００１３】
本考案の広告装置において、前記挿入穴の入口側には、前記挿入穴の深さ方向に進むに従って前記広告表示面側に近づく方向に延び、前記係止突起の前記挿入穴への挿入をガイドするガイド面があることが好ましい。
この考案によれば、外装カバーを額縁フレームに近接させる際に、ガイド面により係止突起を挿入穴へ案内でき、作業性をより良好にできる。
【００１４】
本考案の広告装置において、前記ネジ止め部は、先端側に進むに従い前記広告表示面から離隔するように前記外装カバーから前記額縁フレーム側に斜めに立ちあがる固定板部と、前記額縁フレームの外周面に形成されるとともに、枠状の前記額縁フレームの中央側に近付くに従い前記広告表示面から離隔する側に延び、前記固定板部が当接する受面部と、前記固定板部を前記受面部に固定するネジと、を備えることが好ましい。
【００１５】
この考案によれば、固定板部および受面部が広告表示面から離隔する側に斜めに形成されているとともに、第２穴部および第２突起部が広告表示面側に延びる。そのため、使用者は、挿入穴に外装カバーの係止突起が挿入されるように、外装カバーを額縁フレームに近接させた後（第１の方向に移動させた後）、固定板部を受面部側に押すことにより、すなわち外装カバーを広告表示面側に移動させることにより（第２の方向に移動させることにより）、係止突起を広告表示面側に移動させることができ、第２突起部を第２穴部に差し込むことができる。この状態において、受面部上に載置された固定板部を受面部にネジ止めすることにより、係止突起を挿入穴に係合させた状態に維持でき、外装カバーを額縁フレームに強固に固定できる。
この考案によれば、使用者は、外装カバーを額縁フレームに取り付ける際に、簡単な動作で係止突起を挿入穴に係合させることができる。
【００１６】
本考案の広告装置において、前記額縁フレームの外周面には、前記広告表示シートの周縁部を前記外周面に固定するテンションバーを収容する凹部が形成され、前記挿入穴の前記広告表示面側の壁部は、前記凹部の壁部を兼ね、前記挿入穴の前記広告表示面側の前記壁部からは、前記第２穴部を形成するリブが突出することが好ましい。
【００１７】
この考案によれば、挿入穴の壁部は、凹部の壁部を兼ねるので、額縁フレームをコンパクトにできる。また、この考案によれば、前記壁部のリブにより第２穴部を形成するので、額縁フレームの構成を簡素にできる。
【００１８】
本考案の広告装置において、前記額縁フレームは、前記外周面を構成する第１側辺部と、前記第１側辺部の前記広告表示面側の端部と一端が接続し、前記広告表示面に対して傾斜する斜辺部と、一端が前記斜辺部の他端に接続し、他端が前記第１側辺部に接続する第２側辺部とを備え、前記額縁フレームの内部には、前記斜辺部に沿う傾斜姿勢で保持され、前記斜辺部を補強する補強板と、前記斜辺部の前記一端側に近接する前記補強板の一端側を保持する第１保持リブと、前記斜辺部の前記他端側に近接する前記補強板の他端側を保持する第２保持リブと、が設けられていることが好ましい。
【００１９】
この考案によれば、第１、第２保持リブにより、斜辺部に沿う傾斜姿勢で補強板を保持できるので、該補強板により斜辺部の強度を補強できる。従って、この考案によれば、額縁フレームの内部に斜辺部補強用のリブや中空状の補強部を設ける場合に比べ、額縁フレームの構成を簡素にしながら十分な強度を確保できる。
【図面の簡単な説明】
【００２０】
【図１】組み立て式の広告装置を示す斜視である。
【図２】本体フレームの縦断面図である。
【図３】図２のＡ−Ａ線断面図である。
【図４】額縁枠材および外装カバーの断面拡大図である。
【図５】枠材本体を示す断面図である。
【図６】受け金具を示す断面図である。
【図７】外装カバーの断面図である。
【図８】外装カバーの額縁フレームへの取付方法を説明するための図である。
【図９】額縁フレームおよび外装カバーの断面図である。
【図１０】額縁フレームおよび外装カバーの断面図である。
【考案を実施するための形態】
【００２１】
以下、本考案の実施形態について図面を参照しながら説明する。
〔第１実施形態〕
図１は、組み立て式の広告装置１００を示す斜視図である。
広告装置１００は、上下に長い枠状の本体フレーム１と、本体フレーム１の表側および裏側に設けられた枠状の額縁フレーム２と、額縁フレーム２の外周面２１に周縁部が固定され、額縁フレーム２間に張り渡される広告表示シート９１（以下、表示シートと記載）とを備える。表示シート９１には、該表示シート９１が額縁フレーム２間に張り渡されることにより、広告表示面９１１が形成される。広告表示面９１１には、広告が印刷されている。表示シート９１としては、例えば塩化ビニール製のものを採用できる。
また、広告装置１００は、額縁フレーム２に取り付けられて額縁フレーム２の外周面２１および広告表示面９１１の外縁部を覆う枠状の外装カバー５と、本体フレーム１内部に設けられ、広告表示面９１１を内側から照らす光源とを備える。なお、ここでは光源として蛍光灯９２を採用する構成を例示するが、これに限られるものではなく、光源として例えばＬＥＤや有機ＥＬ等を採用することも可能である。
【００２２】
図２は、本体フレーム１の縦断面図である。
本体フレーム１は、側面がアンカー９３により建造物の壁面Ｗに連結される。本体フレーム１は、縦２本、横２本の長手状の本体枠材１１の各端部が相互に連結されることにより枠状に形成される。本体枠材１１は、アルミの押し出し成形材である。本体フレーム１は、横部材１２およびブレース１３により補強される。
【００２３】
図３は、図２のＡ−Ａ線断面図である。
額縁フレーム２は、本体フレーム１の表側および裏側に枠状に設けられ、表示シート９１を本体フレーム１の表側および裏側に張り渡す。額縁フレーム２は、縦２本、横２本の長手状の額縁枠材２２（図３では縦の額縁枠材２２のみ図示）の各端部が相互に連結されることにより枠状に形成される。額縁枠材２２は、アルミの押し出し成形材である。鉛直に配置された額縁枠材２２間には、額縁フレーム２を補強する横部材２０が架け渡される。
【００２４】
図４は、額縁フレーム２よび外装カバー５の断面拡大図である。図４では、広告装置１００の外周面２１側が上側に来るとともに、広告表示面９１１側が左側に来る。
額縁フレーム２は、本体フレーム１に対し、図４に示すアンカー９３側の一辺は、蝶番６１およびネジ６２，６３により固定され、他の３辺は、固定プレート６４（図３）およびネジ６５，６６により固定される。広告装置１００のメンテナンス時は、前記他の３辺の本体フレーム１に対する固定を解除することで、額縁フレーム２を、アンカー９３側の一辺を基端に蝶番６１により本体フレーム１に対して開閉できる。なお、額縁フレーム２において、蝶番６１および固定プレート６４が取り付けられる部位は、額縁フレーム２の受け金具４２が延び方向（図４の紙面垂直方向）に直交する方向（図４中左方向）に切欠かれることにより、取付スペースが確保されている。従って、図４において、蝶番６１は、受け金具４２（図６参照）と重るようにして描かれているが、実際は、受け金具４２の切欠かれた部位に配置されている。また、図４において、ネジ４２３は、蝶番６１を固定しているのではなく、受け金具４２を額縁フレーム２（枠材本体４１）に対して固定している。
【００２５】
額縁フレーム２の額縁枠材２２は、切断面の外郭形状が直角三角形状であり、額縁フレーム２の外周面２１を構成する第１側辺部２３と、第１側辺部２３の広告表示面９１１側の端部と一端が接続し、広告表示面９１１に対して傾斜する斜辺部２４と、一端が斜辺部２４の他端に接続し、他端が第１側辺部２３に接続する第２側辺部２５とを備える。
【００２６】
斜辺部２４と第１側辺部２３との間には、額縁枠材２２の伸び方向（図４の紙面垂直方向）に延びる中空状の第１強度部２６１が形成される。第２側辺部２５と斜辺部２４との間には、額縁枠材２２の伸び方向に延びる中空状の第２強度部２６２が形成される。
第１、第２強度部２６１，２６２において、額縁枠材２２内部にて互いに対向する各対向面には、補強板２７を斜辺部２４に沿う傾斜姿勢で斜辺部２４と共に保持する保持リブ２６３，２６４が設けられている。補強板２７および保持リブ２６３，２６４は、図４の紙面垂直方向に延びている。
【００２７】
額縁フレーム２の外周面２１には、表示シート９１の周縁部を外周面２１に固定するテンションバー２８を収容する溝状の凹部２９が形成されている。テンションバー２８は、表示シート９１の周縁部上に載置され、外周面２１にネジ止めされることにより表示シート９１の周縁部を外周面２１に固定する。
【００２８】
額縁フレーム２の外周面２１において、凹部２９より広告表示面９１１側から離隔する側には、挿入穴３０が形成されている。挿入穴３０は、図４の紙面垂直方向に延びる溝状に形成されている。挿入穴３０は、広告表示面９１１と平行に延びる穴部本体３０１（第１穴部）、穴部本体３０１の先端から広告表示面９１１側に延びる窪み３０２（第２穴部）とを備えた断面視Ｌ字形状に形成されている。挿入穴３０の入口側には、挿入穴３０の深さ方向に進むに従って広告表示面９１１側に延びるガイド面３０３がある。
【００２９】
挿入穴３０の内径において広告表示面９１１と垂直方向（図４の左右方向）の長さは、外装カバー５の係止突起５１における前記垂直方向（図４の左右方向）の最大長より大きい。外装カバー５の外周面２１において、挿入穴３０より広告表示面９１１側から離隔する側には、枠状の額縁フレーム２の中央側に近付くに従い広告表示面９１１から離隔する側に延びる受面部３１が形成されている。受面部３１も、図４の紙面垂直方向に延びている。受面部３１には、ネジ３２が挿入される孔が形成される。
【００３０】
図５は、額縁枠材２２の枠材本体４１を示す断面図、図６は、枠材本体４１に取り付けられる受け金具４２を示す断面図である。
額縁枠材２２は、枠材本体４１、および外装カバー５を受ける受面部３１を枠材本体４１に設けるための受け金具４２を備える。枠材本体４１には、図５の紙面垂直方向に延びる溝状、かつ断面視Ｌ字形状の接合穴４１１が形成されている。接合穴４１１の下端には、広告表示面９１１側に膨出し、かつ図５の紙面垂直方向に延びる窪み４１２が形成されている。接合穴４１１の内径において広告表示面９１１と垂直方向（図５の左右方向）の長さは、受け金具４２の接合突起４２１における前記垂直方向（図６の左右方向）の最大長より大きい。
【００３１】
受け金具４２の枠材本体４１との対向面（図６の下方の面）において、広告表示面９１１から離隔する側には、図５の紙面垂直方向に延びる断面視Ｌ字形状の接合突起４２１が形成されている。接合突起４２１は、先端に広告表示面９１１側に膨出する爪部４２２が形成されている。以下、該突起４２１を用いた受け金具４２の枠材本体４１への固定方法を説明する。
【００３２】
まず、接合突起４２１を上方から接合穴４１１に入れた後、受け金具４２を広告表示面９１１側にスライド移動させ、接合突起４２１の爪部４２２を接合穴４１１の窪み４１２に差し込む（図４）。その後、受け金具４２の広告表示面９１１に近接する側をネジ４２３（図４）により枠材本体４１に固定する。このように、本考案では、受面部３１の下方に接合突起４２１が形成されているので、受面部３１が形成されているためにネジを用いて固定することができない受け金具４２の広告表示面９１１から離隔する側も、ネジを用いることなく容易に枠材本体４１に固定できる。
【００３３】
図７は、外装カバー５の断面図である。
図７および図４に示すように、外装カバー５は、断面視Ｌ字形状に形成される。外装カバー５は、額縁フレーム２の外周面２１との間に表示シート９１の周縁部が挟まれるように、広告表示面９１１と直交する直交方向における一端側（図４中右側）が外周面２１に固定され、前記直交方向における他端側（図４中左側）が広告表示面９１１の外縁部を覆うように前記一端側から広告表示面９１１側に延びる。
【００３４】
外装カバー５において挿入穴３０に対応する位置には、挿入穴３０に挿入される断面視Ｌ字形状の係止突起５１が形成される。係止突起５１は、図５の紙面垂直方向に延びる。係止突起５１は、外装カバー５から広告表示面９１１と平行に延び、穴部本体３０１内に配置される腕部５１１（第１突起部）と、広告表示面９１１と垂直、かつ広告表示面９１１側に延び、窪み３０２内に配置される爪部５１２（第２突起部）とを備える。本実施形態では、この係止突起５１と、係止突起５１が挿入される挿入穴３０とを備えて、額縁フレーム２から離れる方向への外装カバー５の移動を規制する係合部６が構成される。
【００３５】
外装カバー５において、広告表示面９１１と直交する直交方向において広告表示面９１１と離隔する側端部には、固定板部５２が形成される。固定板部５２は、先端側に進むに従い広告表示面９１１から離隔するように外装カバー５から額縁フレーム２側に斜めに立ちあがる。固定板部５２には、ネジ３２が挿入される孔が形成される。本実施形態では、この固定板部５２と、受面部３１と、ネジ３２とを備えて、ネジ止めにより外装カバー５の一端側を額縁フレーム２の外周面２１に固定するネジ止め部７が構成される。
【００３６】
図８（Ａ）〜（Ｄ）は、外装カバー５の額縁フレーム２への取付方法を説明するための図である。
まず、係止突起５１が額縁フレーム２の挿入穴３０に挿入されるように、外装カバー５を額縁フレーム２の外周面２１に近接させる（外装カバー５を第１の方向に移動させる）。この際、図８（Ａ）、（Ｂ）に示すように、係止突起５１の挿入穴３０への挿入をガイド面３０３によりガイドできる。
【００３７】
このようにして係止突起５１を挿入穴３０に挿入した後、図８（Ｃ）に示すように、係止突起５１が挿入穴３０の底に当接するまで外装カバー５を額縁フレーム２側に押しこむ。
続いて、固定板部５２を受面部３１に当接するまで押す。すると、図８（Ｄ）に示すように、外装カバー５が広告表示面９１１と近接する側に移動し（外装カバー５が第２の方向に移動し）、係止突起５１の爪部５１２が挿入穴３０の窪み３０２に差し込まれる。これにより、額縁フレーム２から離れる方向（図８（Ｄ）中上方向）への外装カバー５の移動を規制するように外装カバー５が額縁フレーム２に係合する。この状態で、固定板部５２をネジ３２により受面部３１に固定することで、外装カバー５が額縁フレーム２に強固に固定される。また、ネジ３２が固定板部５２をネジ止め固定した状態において、ネジ３２の頭は、外装カバー５の外側から視認しにくい位置となるため、額縁フレーム２に装着された外装カバー５の固定にネジが用いられていることは一見して分かりにくく、美観の向上にも寄与している。
【００３８】
本実施形態によれば、外装カバー５を、係止突起５１および挿入穴３０が係合する係合部６と、固定板部５２が受面部５２にネジ止めされるネジ止め部７との２カ所により額縁フレーム２に固定するので、外装カバー５を強固に額縁フレーム２に固定できる。
【００３９】
外装カバー５の先端側（広告表示面９１１に近接する側）を額縁フレーム２に固定する方法として、外装カバー５の先端側を外装カバー５の表面側からネジ等を外装カバー５に打ち込むことにより、外装カバー５を額縁フレーム２に固定する方法が考えられる。この場合、ネジが外部に露出することにより広告装置１００の美観が損なわれる。また、額縁フレーム２の外周面２１にネジにより凹凸が生じるので、額縁フレーム２の外周面２１にカバー部材を取り付ける場合に不都合が生じる。
本実施形態では、外装カバー５の下方にあり、外部に露出することが無い係合部６により外装カバー５の先端側を額縁フレーム２に固定するので、広告装置１００の美観が損なわれることがない。また、額縁フレーム２の外周面２１に凹凸を生じさせることがないので、額縁フレーム２の外周面２１にカバー部材を取り付ける場合にも都合がよい。
【００４０】
本実施形態では、外装カバー５を額縁フレーム２の外周面２１に近接させた後、固定板部５２を受面部３１に当接するまで押すことで係止突起５１を挿入穴３０に係合させる。従って、係止突起５１を挿入穴３０に係合させるのに、特別な作業を必要としないので、外装カバー５の取付工数を増大させることがない。
【００４１】
本実施形態では、ガイド面３０３により、係止突起５１の挿入穴３０への挿入をガイドできるので、作業性が良好である。
本実施形態では、額縁フレーム２内部に設けた保持リブ２６３，２６４により補強板２７を斜辺部に沿う傾斜姿勢で保持するので、額縁フレーム２の壁部の構成を複雑にすることなく、補強板２７により十分に斜辺部２４を補強できる。
【００４２】
〔第２実施形態〕
以下、前記実施形態と同一機能部位には同一符号を付してその説明を省略する。
図９は、額縁フレーム２Ａおよび外装カバー５の断面図である。
本実施形態では、挿入穴３０の広告表示面９１１側の壁部３３は、テンションバー２８を収容する凹部２９の壁部３３を兼ねる。挿入穴３０の広告表示面９１１側の壁部３３からは、広告表示面９１１から離隔する側に穴形成リブ３４（第２リブ）が突出する。穴形成リブ３４は、図９の紙面垂直方向に延びており、壁部３３を補強する役割と、係止突起５１の爪部５１２が差し込まれる窪み３０２を形成する役割とを兼ねる。
【００４３】
また、本実施形態では、第１実施形態において斜辺部２４と第１側辺部２３との間にあった中空状の第１強度部２６１（図４）が省略され、保持リブ２６３，２６４が第２強度部２６２内に設けられている。
【００４４】
本実施形態では、挿入穴３０の壁部３３は、凹部２９の壁部３３を兼ねるので、挿入穴３０専用の壁部を設ける場合に比べ、額縁フレーム２をコンパクトにできる。また、本実施形態では、斜辺部２４と第１側辺部２３との間の第１強度部２６１を省略してあるので、額縁フレーム２をよりコンパクトにできる。
【００４５】
〔第３実施形態〕
図１０は、額縁フレーム２Ｂおよび外装カバー５の断面図である。
本実施形態でも、挿入穴３０の壁部３３は、凹部２９の壁部３３を兼ねるとともに、斜辺部２４と第１側辺部２３との間の第１強度部２６１は省略されるため、額縁フレーム２Ｂをコンパクトにできる。本実施形態では、穴形成リブ３４は、壁部３３を湾曲形成することにより設けられている。保持リブ２６３，２６４は、額縁フレーム２Ｂ内部における第１側辺部２３と第２強度部２６２との間の空間に設けられている。
【００４６】
なお、上述の各実施形態では、係合部６は、外装カバー５側に設けられた係止突起５１と、額縁フレーム２，２Ａ，２Ｂ側に設けられた挿入穴３０とを備えて構成されていたが、係合部は、額縁フレームの外周面側に設けられた係止突起と、外装カバー側に設けられた挿入穴とを備えて構成されていてもよい。
【００４７】
また、上述の各実施形態では、額縁フレーム２，２Ａ，２Ｂが平面視略長方形状である場合を例示したが、必ずしもこれに限られるものではなく、例えば、正方形状や四角形以外の多角形状の輪郭を有する額縁フレームを採用することもできることは言うまでもない。
【００４８】
上述の各実施形態では、本体フレーム１に対して表側および裏側の両方の額縁フレーム２が開閉可能に設置されている例を示したが、表側または裏側の片側の額縁フレームのみが本体フレームに対して開閉可能に設置されていてもよい。
上述の各実施形態では、広告装置１００は、本体フレーム１内に光源が設けられるタイプのものであったが、広告装置は、本体フレーム内に光源が設けられないタイプのものであってもよい。
【符号の説明】
【００４９】
２，２Ａ，２Ｂ…額縁フレーム、５…外装カバー、６…係合部、７…ネジ止め部、２１…額縁フレームの外周面、２３…第１側辺部、２４…斜辺部、２５…第２側辺部、２７…補強板、２９…凹部、３０…挿入穴、３１…受面部、３２…ネジ、３４…リブ（穴形成リブ）、５１…係合部（係止突起）、５２…固定板部、９１…広告表示シート、１００…広告装置、２６３…第１保持リブ、２６４…第２保持リブ、３０１…第１穴部、３０２…第２穴部（窪み）、３０３…ガイド面、５１１…第１突起部、５１２…第２突起部（爪部）、９１１…広告表示面。
【図１】
0003172829.tif 000003
【図２】
0003172829.tif 000004
【図３】
0003172829.tif 000005
【図４】
0003172829.tif 000006
【図５】
0003172829.tif 000007
【図６】
0003172829.tif 000008
【図７】
0003172829.tif 000009
【図８】
0003172829.tif 000010
【図９】
0003172829.tif 000011
【図１０】
0003172829.tif 000012